(57)【要約】【課題】  簡単に正規の暗証番号が入力されることを回避可能な入力装置及び携帯電話装置を提供する。【解決手段】  携帯電話のテンキーを配置した領域に、ユーザが指をなぞることにより文字を入力可能な接触感知センサを配置し、キーロックを解除する為の暗証番号を登録する際に、ユーザが接触感知センサ上を図５の（ａ）〜（ｄ）に示すように、指が最初に触れたキーのデータと指が離れた際に触れていたキーのデータを各桁ごとに登録し、暗証番号の登録が完了する。ユーザがキーロックを解除する際には、登録された内容と同じように、接触感知センサを操作することにより、キーロックが解除される。【選択図】      図５
2007228562.tif 000002
【特許請求の範囲】
【請求項１】
接触感知センサと、該接触感知センサ上に、指が触れた位置の情報である第1情報と指が
センサに触れてから離れた際に指が接触していた位置の情報である第２情報とを記憶する記憶手段と、特定の機能の実行を禁止する禁止手段と、
前記禁止手段が特定の機能の実行を禁止している状態で、前記記憶手段に記憶されている第１情報と第２情報が示す内容の入力操作が前記接触検知センサから行われたと判定すると、前記特定の機能の実行を許可するよう制御する制御手段と、を有することを特徴とする入力装置。
【請求項２】
指の接触を検知するキーを複数有した接触感知センサと、該接触感知センサ上に、指が触れたキーの情報である第1情報と指がセンサに触れてから離れた際に指が接触していたキ
ーの情報である第２情報とを記憶する記憶手段と、特定の機能の実行を禁止する禁止手段と、
前記禁止手段が特定の機能の実行を禁止している状態で、前記記憶手段に記憶されている第１情報と第２情報が示す内容の入力操作が前記接触検知センサから行われたと判定すると、前記特定の機能の実行を許可するよう制御する制御手段と、を有することを特徴とする入力装置。
【請求項３】
指の接触を検知するキーを複数有した接触感知センサと、該接触感知センサ上に、指が触れたキーの情報である第1情報と指がセンサに触れてから離れた際に指が接触していたキ
ーの情報である第２情報とを対応させて複対記憶する記憶手段と、特定の機能の実行を禁止する禁止手段と、
前記禁止手段が特定の機能の実行を禁止している状態で、前記記憶手段に記憶されている複対の第１情報と第２情報が示す内容の入力操作が前記接触検知センサから行われたと判定すると、前記特定の機能の実行を許可するよう制御する制御手段と、を有することを特徴とする入力装置。
【請求項４】
接触感知センサと、該接触感知センサ上に、指が触れた位置の情報である第1情報と指が
センサに触れてから離れた際に指が接触していた位置の情報である第２情報とを記憶する記憶手段と、特定の機能の実行を禁止する禁止手段と、
前記禁止手段が特定の機能の実行を禁止している状態で、前記記憶手段に記憶されている第１情報と第２情報が示す内容の入力操作が前記接触検知センサから行われたと判定すると、前記特定の機能の実行を許可するよう制御する制御手段と、を有する入力装置を有したことを特徴とする携帯電話装置。
【請求項５】
指の接触を検知するキーを複数有した接触感知センサと、該接触感知センサ上に、指が触れたキーの情報である第1情報と指がセンサに触れてから離れた際に指が接触していたキ
ーの情報である第２情報とを記憶する記憶手段と、特定の機能の実行を禁止する禁止手段と、
前記禁止手段が特定の機能の実行を禁止している状態で、前記記憶手段に記憶されている第１情報と第２情報が示す内容の入力操作が前記接触検知センサから行われたと判定すると、前記特定の機能の実行を許可するよう制御する制御手段と、を有する入力装置を有したことを特徴とする携帯電話装置。
【請求項６】
指の接触を検知するキーを複数有した接触感知センサと、該接触感知センサ上に、指が触れたキーの情報である第1情報と指がセンサに触れてから離れた際に指が接触していたキ
ーの情報である第２情報とを複対記憶する記憶手段と、特定の機能の実行を禁止する禁止手段と、
前記禁止手段が特定の機能の実行を禁止している状態で、前記記憶手段に記憶されている複対の第１情報と第２情報が示す内容の入力操作が前記接触検知センサから行われたと判定すると、前記特定の機能の実行を許可するよう制御する制御手段と、を有する入力装置を有したことを特徴とする携帯電話装置。
【発明の詳細な説明】
【技術分野】
【０００１】
本発明は、暗証番号等を入力する為の入力装置及びその入力装置を備えた携帯電話装置、特に操作部の表面に接触検知センサが設けられた携帯電話装置に関する。
【背景技術】
【０００２】
近年では、キーロック機能を搭載した携帯電話装置が数多く販売されている。このキーロック機能とは、ユーザがキーロック機能をオンする設定にすると、携帯電話装置のキーが無効な状態即ち、キー操作が利かない状態になり、この状態でユーザが所定の４桁の暗証番号を入力することにより、キーが有効な状態即ち、キー操作が利く状態になる機能である。
【０００３】
このキーロック機能を用いることにより、例えば携帯電話をポケットに入れた際に誤ってキーが操作されることや、携帯電話を紛失した際に他人に携帯電話を使われることを回避することが可能である。
【０００４】
又、このキーロック機能に関するさまざまな技術も提案されており、例えば特許文献１には、遠隔操作により携帯電話装置のキーロック機能をオンにする技術が記載されている。
【特許文献１】特開平１１−３２３６９号公報
【発明の開示】
【発明が解決しようとする課題】
【０００５】
しかしながら、従来の携帯電話装置に搭載されているキーロック機能も上記特許文献１に記載の技術も、テンキーの操作により４桁の暗証番号を入力することによりキーロック機能をオフとするものである。
【０００６】
この為、仮に携帯電話装置をキーロック状態で他人の手に渡った場合でも、他人がランダムに４桁の暗証番号を入力し、偶然キーロック状態がオフされる可能性がある。
【課題を解決するための手段】
【０００７】
本願発明は、このような課題を解決する為のものであり、従来技術よりも、第三者により正しい暗証番号が入力されることを困難にするものである。
【０００８】
請求項１記載の入力装置は、接触感知センサと、該接触感知センサ上に、指が触れた位置の情報である第1情報と指がセンサに触れてから離れた際に指が接触していた位置の情
報である第２情報とを記憶する記憶手段と、特定の機能の実行を禁止する禁止手段と、前記禁止手段が特定の機能の実行を禁止している状態で、前記記憶手段に記憶されている第１情報と第２情報が示す内容の入力操作が前記接触検知センサから行われたと判定すると、前記特定の機能の実行を許可するよう制御する制御手段と、を有することを特徴とする。
【０００９】
請求項２記載の入力装置は、指の接触を検知するキーを複数有した接触感知センサと、該接触感知センサ上に、指が触れたキーの情報である第1情報と指がセンサに触れてから離れた際に指が接触していたキーの情報である第２情報とを記憶する記憶手段と、特定の機能の実行を禁止する禁止手段と、前記禁止手段が特定の機能の実行を禁止している状態で、前記記憶手段に記憶されている第１情報と第２情報が示す内容の入力操作が前記接触検知センサから行われたと判定すると、前記特定の機能の実行を許可するよう制御する制御手段と、を有することを特徴とする。
請求項３記載の入力装置は、指の接触を検知するキーを複数有した接触感知センサと、該接触感知センサ上に、指が触れたキーの情報である第1情報と指がセンサに触れてから離れた際に指が接触していたキーの情報である第２情報とを対応させて複対記憶する記憶手段と、特定の機能の実行を禁止する禁止手段と、前記禁止手段が特定の機能の実行を禁止している状態で、前記記憶手段に記憶されている複対の第１情報と第２情報が示す内容の入力操作が前記接触検知センサから行われたと判定すると、前記特定の機能の実行を許可するよう制御する制御手段と、を有することを特徴とする。
請求項４記載の携帯電話装置は、接触感知センサと、該接触感知センサ上に、指が触れた位置の情報である第1情報と指がセンサに触れてから離れた際に指が接触していた位置の情報である第２情報とを記憶する記憶手段と、特定の機能の実行を禁止する禁止手段と、前記禁止手段が特定の機能の実行を禁止している状態で、前記記憶手段に記憶されている第１情報と第２情報が示す内容の入力操作が前記接触検知センサから行われたと判定すると、前記特定の機能の実行を許可するよう制御する制御手段と、を有する入力装置を有したことを特徴とする。
請求項５記載の携帯電話装置は、指の接触を検知するキーを複数有した接触感知センサと、該接触感知センサ上に、指が触れたキーの情報である第1情報と指がセンサに触れてから離れた際に指が接触していたキーの情報である第２情報とを記憶する記憶手段と、特定の機能の実行を禁止する禁止手段と、前記禁止手段が特定の機能の実行を禁止している状態で、前記記憶手段に記憶されている第１情報と第２情報が示す内容の入力操作が前記接触検知センサから行われたと判定すると、前記特定の機能の実行を許可するよう制御する制御手段と、を有する入力装置を有することを特徴とする。
請求項６記載の携帯電話装置は、指の接触を検知するキーを複数有した接触感知センサと、該接触感知センサ上に、指が触れたキーの情報である第1情報と指がセンサに触れてから離れた際に指が接触していたキーの情報である第２情報とを複対記憶する記憶手段と、特定の機能の実行を禁止する禁止手段と、前記禁止手段が特定の機能の実行を禁止している状態で、前記記憶手段に記憶されている複対の第１情報と第２情報が示す内容の入力操作が前記接触検知センサから行われたと判定すると、前記特定の機能の実行を許可するよう制御する制御手段と、を有する入力装置を有することを特徴とする。
【発明の効果】
【００１０】
本発明によれば、暗証番号の各桁を入力する際に、各桁の、ユーザが始めに触れたキーと指を離した直前に触れていたキーが合致しなければキーロックを解除することができないため、従来のように単に４桁の番号を押下操作により入力する方法に比べ暗証番号の入力が複雑化され、より第三者に正規の暗証番号が入力されることを困難にすることができる。
【発明を実施するための最良の形態】
【００１１】
次に、本発明の一実施例にかかる携帯電話装置について、図面を参照して説明する。図１は本実施例装置である携帯電話装置の斜視図である。本実施例装置は、テンキー４８といった通常のキー操作部以外に、ユーザが指で触れることにより操作可能な接触検知センサ５６も搭載している、又、前記接触検知センサ５６は、テンキー４８及びテンキー４８の周囲の領域に配置されている。
図２は、本実施例の使用形態を示す斜視図である。ユーザは、テンキー４８及びその周辺に配置されている接触検知センサ５６（図２の点線で囲っている部分）を指でなぞることにより、入力操作を行うことが可能である。
【００１２】
図３に示すように、携帯電話装置１０は、アンテナ１６と接続された通信部１２を備えている。この通信部１２は、後述のベースバンド部１４からの信号を、アンテナ１６を介して基地局へ発信し、あるいはアンテナ１６を介して基地局からの電波を受信する。
【００１３】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１４】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１５】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１６】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１７】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１８】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１９】
また、制御回路３６には、入力部４４が接続されている。この入力部４４は、電話番号等の入力を行うテンキー４８と、通話の開始を操作する通話キー５０と、通話の終了を操作する切キー５２と、ＯＫキー５４と、クリアキー５５と、を有している。
【００２０】
ここで、テンキー４８には、１〜９の各入力ボタンと、♯ボタンと、＊ボタン（本実施形態では１２個のボタンとなる）とが含まれる。また、図４に示すように全てのテンキー４８の表面と、テンキー４８周辺の筐体表面には、ユーザが接触したことを検知する接触検知センサ５６が設けられている。この接触検知センサ５６は、従来から知られているものであり、例えば、透明電極等が用いられている。携帯電話の筐体とキートップに配置されたこの接触検知センサ５６は、制御回路３６と電気的に接続されている。この為、ユーザが接触検知センサ５６に触れたことを示す信号は制御回路３６へ入力される。
【００２１】
尚、本実施例装置では、接触検知センサ５６を筐体表面に配置しているが、筐体の裏面側やキー４８の裏面側のように筐体内部に配置しても良い。例えば、静電容量検知型の接触検知センサであれば、筐体内部に配置することが可能である。又、キー４８裏面側一帯に接触検知センサ５６を配置すると、キートップ上に接触検知センサ５６を配置する構成に比べて配線が格段に簡易化される。
【００２２】
また、制御回路３６には、例えばＬＥＤ素子からなる照明部４６が接続されている。
【００２３】
ＲＡＭ４０には、暗証番号データが４桁格納される。
【００２４】
制御回路３６内部には接触検知センサ５６から入力された暗証番号等を一時的に格納するバッファ７１を有している。又、このバッファ７１には、接触検知センサ５６から入力される番号が何桁目であるかを示す桁数データと、初めに指が接触した番号のデータと、指が離れた番号のデータとが対応付けて格納される。更に、これらのデータは４桁分まで格納可能である。尚、詳細な動作説明については後ほど説明する。
【００２５】
本実施例装置はこのような構成である。次に、図３に示す構成の携帯電話装置の実施例の動作について以下に説明する。
【００２６】
本実施例は、接触検知センサ５６を用いて入力する暗証番号として、従来のようにテンキーなどから入力する数値として入力するのではなく、接触検知センサ５６上を指で連続的に触れて描いた線の情報を用いるものであり、例えば、指で触れた最初と最後の位置、すなわち、該接触検知センサ５６上に、指が触れた位置の情報である第1情報と、指がセンサに触れてから次に離れた際に、指が接触していた位置の情報である第２情報とで入力して登録、記憶して、照合するものである。
【００２７】
本実施例では、ユーザが接触検知センサ５６を用いて４桁の暗証番号を入力することにより、キーロックをオフ操作可能としている。例えば、図５は接触検知センサ５６の使用形態を示す図であるが、図５に示すように、ユーザが接触検知センサ５６上をなぞることにより、暗証番号（例えば、１２３４）の入力が行われる。より具体的には、暗証番号を入力する際に、所定のキーに触れた後にそのまま指で接触検知センサ５６上をなぞり、指でなぞられた先のキーを暗証番号としている。例えば、図５Ａに示すように、先ずユーザが５キーに触れ、そのまま指を接触検知センサ５６上の１キーの位置までなぞり、続いてユーザが１キーから指を離すと、「１」の数字入力が完了する。同様にして、図５Ｂ〜図５Ｄの操作を行うことにより、「２」〜「４」の数字入力が完了する。
【００２８】
先ず暗証番号の登録を行う際の動作について説明する。図６は、暗証番号の登録を行う際の動作を示すフロー図である。
【００２９】
図６のＳ１ステップでは、制御回路３６は、バッファ７１に格納される桁数データを０とし、Ｓ２ステップへ処理を進める。
Ｓ２ステップでは、制御回路３６は、バッファ７１に新たに１インクリメントした桁数データを格納し、Ｓ３ステップへ処理を進める。
Ｓ３ステップでは、制御回路３６は、接触検知センサ５６に指が触れたと判定するとＳ４ステップへ処理を進め、そうでなければＳ９ステップへ処理を進める。
Ｓ４ステップでは、制御回路３６は、上記Ｓ３ステップで指が触れたキーのデータをバッファ７１に格納しＳ５ステップへ処理を進める。ここで、キーのデータとは、指が触れたキーの位置を示す情報であればよく、例えば、キーの配列座標のデータや指が触れたキーのキーコードのデータなどを用いることができる。なお、キーコードはキー配列座標と１対１に対応するから、位置情報と同じ情報として扱うことができる。
Ｓ５ステップでは、制御回路３６は、接触検知センサ５６から指が離れたと判定するとＳ６ステップへ処理を進める。
Ｓ６ステップでは、制御回路３６は、上記Ｓ５ステップで指が離れた直前に触れていたキーのデータを、上記Ｓ４ステップでバッファ７１に格納した触れたキーのデータに対応付けて記憶される。尚、この時、バッファ７１には、Ｓ２ステップで格納した桁数データと、Ｓ３ステップで触れたキーのデータと、Ｓ５ステップで指が離れた際のキーのデータを対応付けて記憶されたことになる。この場合も、キーのデータは、前述と同様にキーの配列座標のデータや指が触れたキーのキーコードのデータなどを用いることができる。
【００３０】
Ｓ７ステップでは、制御回路３６は、バッファ７１に格納されている桁数データが４桁分のデータであると判定すると、Ｓ８ステップへ処理を進め、そうでなければＳ２ステップへ処理を戻す。
【００３１】
Ｓ８ステップでは、制御回路３６により、バッファ７１に格納されている桁数データと触れたキーのデータと指が離れた際のキーのデータと、が対応付けられた４桁分のデータがＲＡＭ４０に格納される。ここでＲＡＭ４０に格納されたデータが暗証番号データとなる。尚、この時バッファ７１に格納されているデータは消去される。
【００３２】
Ｓ９ステップでは、制御回路３６は、ディスプレイ４２にエラー表示し、処理を終了する。
【００３３】
このような処理を終了し、暗証番号の登録が終了した後に、ユーザがキーロックをオンする操作を行うことによりキーロックがオンされる。このキーロックオンの状態でキーロックをオフする動作について以下に説明する。
【００３４】
図７は、キーロックをオフする際の動作を示すフロー図である。
図７のＳ１０ステップでは、制御回路３６は、バッファ７１に格納される桁数データを０とし、Ｓ１１ステップへ処理を進める。
【００３５】
Ｓ１１ステップでは、制御回路３６は、バッファ７１に格納されている桁数データを１インクリメントしバッファ７１に格納し、Ｓ１２ステップへ処理を進める。
【００３６】
Ｓ１２ステップでは、制御回路３６は、接触検知センサ５６に指が触れたと判定するとＳ１３ステップへ処理を進める。
【００３７】
Ｓ１３ステップでは、制御回路３６は、上記Ｓ１２ステップで指が触れたキーのデータをバッファ７１に格納しＳ１４ステップへ処理を進める。
【００３８】
Ｓ１４ステップでは、制御回路３６は、上記Ｓ１３ステップでバッファ７１に格納された最初に触れたキーのデータとＲＡＭ４１に格納されている最初に触れたキーのデータを比較し、一致すればＳ１５ステップへ処理を進め、そうでなければ、Ｓ２０ステップへ処理を進める。
【００３９】
尚、この時、制御回路３６は、バッファ７１に格納されている桁数のデータと対応する最初に触れたキーのデータと、ＲＡＭ４０に格納されている桁数のデータと対応する最初に触れたキーのデータと、を比較する。例えば、バッファ７１に１桁目であることを示すデータと対応する最初に触れたキーのデータがテンキーの４だとし、一方ＲＡＭ４０には１桁目であることを示すデータに対応する最初に触れたキーのデータがテンキーの４であれば、制御回路３６は一致すると判定するが、ＲＡＭ４０に格納されている１桁目の最初に触れたキーのデータがテンキーの４以外のデータであれば不一致であると判定する。
【００４０】
Ｓ１５ステップでは、制御回路３６は、接触検知センサ５６から指が離れたと判定するとＳ１６ステップへ処理を進める。
【００４１】
Ｓ１６ステップでは、制御回路３６は、上記Ｓ１５ステップで指が離れた直前に触れていたキーのデータを、上記Ｓ１３ステップでバッファ７１に格納したキーのデータに対応付けて記憶される。尚、この時、バッファ７１には、Ｓ１１ステップで格納した桁数データと、Ｓ１３ステップで格納した触れたキーのデータと、Ｓ１５ステップで指が離れた際のキーのデータを対応付けて記憶されたことになる。
【００４２】
続くＳ１７ステップでは、制御回路３６は、上記Ｓ１６ステップでバッファ７１に格納された指の離れたキーのデータとＲＡＭ４１に格納されている指の離れたキーのデータを比較し、一致すればＳ１８ステップへ処理を進め、そうでなければ、Ｓ２０ステップへ処理を進める。尚、この時、制御回路３６は、バッファ７１に格納されている桁数のデータと対応する指が離れた際のキーのデータと、ＲＡＭ４０に格納されている桁数のデータと対応する指が離れた際のキーのデータと、を比較する。例えば、バッファ７１に１桁目であることを示すデータと対応する指が離れた際のキーのデータがテンキーの４だとし、一方ＲＡＭ４０には１桁目であることを示すデータに対応する指が離れた際の数字データがテンキーの４であれば、制御回路３６は一致すると判定するが、ＲＡＭ４０に格納されている１桁目の数字データがテンキーの４以外のデータであれば不一致であると判定する。
【００４３】
Ｓ１８ステップでは、制御回路３６は、バッファ７１に格納されているデータが４桁分のデータであると判定すると、Ｓ１９ステップへ処理を進め、そうでなければＳ１１ステップへ処理を戻す。
【００４４】
Ｓ１９ステップでは、制御回路３６は、キーロック解除するように制御し、処理を終了する。
【００４５】
Ｓ２０ステップでは、制御回路３６は、ディスプレイ４２にエラー表示し、処理を終了する。
【００４６】
以上説明したように、本実施例装置では、暗証番号の各桁を入力する際に、各桁の、ユーザが始めに触れたキーの位置を示す情報と、指を離した直前に触れていたキーの位置を示す情報が合致しなければキーロックを解除することができないため、従来のように単に４桁の番号を押下操作により入力する方法に比べ暗証番号の入力が複雑化され、第三者に正規の暗証番号が盗んだり、入力操作を盗み見たりして漏れ、当該第三者等によって入力されることを困難にすることができる。
【００４７】
図６における暗証番号又は暗証線の登録は４桁の暗証番号又は暗証線を入力して登録する例を示したが、２度同じ暗証番号又は暗証線を接触検知センサから入力し、最初に入力した暗証線のデータと２度目に入力した暗証線のデータを各桁ごとに照合して、照合結果が一致した場合にＲＡＭ４０に登録するように構成してもよい。この場合、バッファ７１は最初に入力した暗証線のデータを第１の領域に各桁ごとに記憶し、２度目に入力した暗証線のデータをバッファ７１の第２の領域に各桁ごとに記憶し、両者を照合すればよい。
【００４８】
このように２度同じ形状（例えば暗証番号）を入力することにより、一度入力された暗証線が正確に認識されるか否かを確認できる。
【００４９】
尚、本実施例では携帯電話装置を例に説明したが、本発明にかかる暗証番号の入力装置は、銀行のＡＴＭ（ＡＵＴＯＭＡＴＩＣ  ＴＥＬＬＥＲ  ＭＡＣＨＩＮＥ）や、ＰＤＡ（ＰＥＲＳＯＮＡＬ  ＤＩＧＩＴＡＬ  ＡＳＳＩＳＴＡＮＣＥ）等においても携帯電話装置と同様に適用可能である。
【図面の簡単な説明】
【００５０】
【図１】本発明を適用してなる実施例装置の斜視図である。
【図２】本実施例装置の使用形態を示す斜視図である。
【図３】本実施例装置のブロック図である。
【図４】接触検知センサ５６近傍を示す断面図である。
【図５】本実施例装置の表示形態である。
【図６】本実施例の動作を示すフロー図である。
【図７】本実施例の動作を示すフロー図である。
【符号の説明】
【００５１】
１０      携帯電話装置
３６      制御回路
４０      ＲＯＭ
４４      入力部
４８      テンキー
５６      接触検知センサ
７１      バッファ
【図１】
2007228562.tif 000003
【図２】
2007228562.tif 000004
【図３】
2007228562.tif 000005
【図４】
2007228562.tif 000006
【図５】
2007228562.tif 000007
【図６】
2007228562.tif 000008
【図７】
2007228562.tif 000009